(57)【要約】【課題】  手すりの高さ変更に多くの手間がかかり、工事が大掛かりであった。【解決手段】  コマ本体にセットする可動コマ用バネが角形枠状であり、その上下枠部にコマ本体にセットする嵌合凹部を設け、側方枠部にコマ本体の側面より外側に突出する膨出部を設け、側方枠部を内側に押すと内側に変形し、押しを解除すると外側に復元するバネ性を持たせた。前記可動コマ用バネをコマ本体にセットして可動コマとした。その可動コマと、それをセットするレールと、手すり、棚当の家具を可動コマに取付ける取付けフランジをセットにして物品取付け用スライド材とした。それを使用して物品を家屋の壁面にスライド可能に取付けて物品取付け構造とした。【選択図】  図１
2006300259.tif 000002
【特許請求の範囲】
【請求項１】
細長いレール（１）の通路（２）内にその軸方向にスライド可能にセットされる可動コマ（３）のコマ本体（４）にセットするバネであり、そのバネは角形枠状であり、そのバネの上下枠部（６ａ）にコマ本体（４）に被せることのできる嵌合凹部（５）が設けられ、そのバネの側方枠部（６ｂ）に外側に円弧状に膨出する膨出部（７）が形成され、膨出部（７）は前記嵌合凹部（５）をコマ本体（４）に被せるとコマ本体（４）の幅方向両側面から外側に突出して膨出し、側方枠部（６ｂ）は膨出部（７）を外側から内側に押すと内側に湾曲し、その押しが解除されると外側に復元するバネ性を備えたことを特徴とする可動コマ用バネ。
【請求項２】
細長いレール（１）の通路（２）内にその軸方向にスライド可能にセットされる可動コマ（３）であり、その可動コマ（３）はコマ本体（４）とそのコマ本体（４）にセットされた可動コマ用バネ（８）を備え、コマ本体（４）は通路（２）内にスライド可能にセットできる細長であり、可動コマ用バネ（８）が請求項1記載の可動コマ用バネであることを特徴とするレール用可動コマ。
【請求項３】
建物の壁面（９）の内側又は外側に取付け可能なレール（１）と、可動コマ（３）と、取付けフランジ（１０）を備え、レール（１）はその前面（１ａ）に開口する通路（２）が軸方向に形成され、背面（１ｂ）が壁面（９）に取付け可能であり、前記可動コマ（３）に請求項２記載の可動コマ（３）が使用され、その可動コマ（３）が前記通路（２）内にその軸方向にスライド可能に収容され、前記取付けフランジ（１０）は手すり、棚、家具、テーブルや机の天板、壁掛け式電気製品、装飾品といった物品（１２）を取付け可能であり、レール（１）の前面に宛がって可動コマ（３）に取付けると共に可動コマ（３）をレール（１）に固定することにより前記物品（１２）をレール（１）に固定できることを特徴とする物品取付け用スライド材。
【請求項４】
請求項３記載の物品取付け用スライド材のレール（１）の背面（１ｂ）が壁面（９）の内側又は外側に取付けられ、可動コマ（３）がレール（１）の通路（２）内にその軸方向にスライド可能に収容され、可動コマ（３）に手すり、棚等の物品（１２）が取付け可能な取付けフランジ（１０）が取付けられ、取付けフランジ（１０）は可動コマ（３）と共にレール（１）に固定されることを特徴とする物品取付け構造。
【発明の詳細な説明】
【技術分野】
【０００１】
本発明は、手すり、棚、ハンガー掛け、ピクチャーレール、家具等の転倒防止金具、間仕切り、テーブルや机の天板といった各種の物品を、建物の壁面にスライド可能に取付けるための可動コマ用バネ、そのバネを使用したレール用可動コマ、その可動コマを使用した物品取付け用スライド材及びそれを使用した物品取付け構造に関するものである。
【背景技術】
【０００２】
近年、高齢者や障害者のための住宅等のバリアフリー化が進み、廊下、階段等の壁面に手すりを取付けるとか、本や衣類の整理等のために室内の壁面に棚やハンガー掛け等の物品を取付けることが多くなっている。廊下、階段等の壁面に手すりを取付ける場合、従来は、例えば、図１１（ａ）に示すように、柱、間柱等の下地材Ｉの表面に取付けた補強材Ａの表面に壁材Ｂを設け、壁材Ｂの表面に手すりの根元ＣのフランジＤを、コーチネジＥによって補強材Ａに固定して、手すりを壁面に取付けていた。また、図１１（ｂ）に示すように、補強材Ａの背面に取付けプレートＦを宛がって、ボルトＧとナットＨによってフランジＤを補強材Ａに固定して、手すりを壁面に取付けることもある（非特許文献１参照）。
【０００３】
図１１（ａ）（ｂ）に示す手すりの取付け構造では、手すりの高さ（取付け位置）を変える場合、壁材Ｂを全て取外した上で、補強材Ａも高さを変えて取付け直し、又は高さの異なる補強材Ａを新たに取付け、その後、再度壁材Ｂを張り直して、張り直した壁材Ｂの壁面の表面に手すりを取付けていた。
【０００４】
【非特許文献１】東陶機器株式会社「手すりカタログ  ２００４年度版」９４、９５頁
【発明の開示】
【発明が解決しようとする課題】
【０００５】
前記図１１（ａ）（ｂ）の手すりの取付け構造は固定式であるため、手すりの高さや取付け位置を変える場合に次のような課題があった。
（１）壁材Ｂの取外し、補強材Ａの取付け直し又は新たな補強材Ａの取付け、壁材Ｂの張り直しが必要であるため、施工に非常に多くの手間がかかり、コスト高となり、工事が大掛かりにもなる。
（２）下地材Ｉの表面に補強材Ａが取付けられている場合は、補強材の分だけ、壁面が内側（廊下側）に突出し、それに伴って手すりが廊下側へ出っ張るので、廊下が狭くなって車椅子が通りにくくなるとか、通行できなくなるといったことがある。
（３）手すりを移動する高さによっては、もとのビス孔（ボルト挿通孔）が移動後のビス孔（ボルト挿通孔）と重複し、ビスやボルトの締め付けが不十分になって取付け強度が十分に確保できないこともある。
（４）移動後のビス孔（ボルト挿通孔）が移動前のビス孔（ボルト挿通孔）と位置ずれすると、移動前のビス孔（ボルト挿通孔）が壁面に露出するのでそのままでは体裁が悪い。補修をすると手間がかかり、コスト高となる。
【課題を解決するための手段】
【０００６】
本発明は壁材を取外すことなく、手すり、棚等の物品を上下或は横にスムースにスライドして、それら物品の取付け位置を自在に変更することができる物品取付け構造と、それに使用される物品取付け用スライド材と、そのスライド材に使用されるレール用可動コマと、その可動コマに使用される可動コマ用バネを提供するものである。
【０００７】
本発明の可動コマ用バネは、細長いレール１の通路２内にその軸方向にスライド可能にセットされる可動コマ３のコマ本体４にセットするバネであり、そのバネは角形枠状であり、そのバネの上下枠部６ａにコマ本体４に被せることのできる嵌合凹部５が設けられ、そのバネの側方枠部６ｂに外側に円弧状に膨出する膨出部７が形成され、膨出部７は前記嵌合凹部５をコマ本体４に被せるとコマ本体４の幅方向両側面から外側に突出して膨出し、側方枠部６ｂは膨出部７を外側から内側に押すと内側に湾曲し、その押しが解除されると外側に復元するバネ性を備えたものである。
【０００８】
本発明のレール用可動コマは、細長いレール１の通路２内にその軸方向にスライド可能にセットされる可動コマ３であり、その可動コマ３はコマ本体４とそのコマ本体４にセットされた可動コマ用バネ８を備え、コマ本体４は通路２内にスライド可能にセットできる細長であり、可動コマ用バネ８を請求項1記載の可動コマ用バネとしたものである。
【０００９】
本発明の物品取付け用スライド材は、壁面９の内側又は外側に取付け可能なレール１と、可動コマ３と、取付けフランジ１０を備え、レール１はその前面１ａに開口する通路２が軸方向に形成され、背面１ｂが壁面９に取付け可能であり、前記可動コマ３に請求項２記載の可動コマ３が使用され、その可動コマ３が前記通路２内にその軸方向にスライド可能に収容され、前記取付けフランジ１０は手すり、棚、家具、テーブルや机の天板、壁掛け式電気製品、装飾品といった物品１２を取付け可能であり、レール１の前面に宛がって可動コマ３に取付けると共に可動コマ３をレール１に固定することにより前記物品１２をレール１に固定できるものである。
【００１０】
本発明の物品取付け構造は、請求項３記載の物品取付け用スライド材のレール１の背面１ｂが壁面９の内側又は外側に取付けられ、可動コマ３がレール１の通路２内にその軸方向にスライド可能に収容され、可動コマ３に手すり、棚等の物品１２が取付け可能な取付けフランジ１０が取付けられ、取付けフランジ１０は可動コマ３と共にレール１に固定されるものである。
【発明の効果】
【００１１】
本発明の可動コマ用バネは次のような効果がある。
（１）コマ本体に被せる嵌合凹部を有するので、コマ本体にセットし易い。
（２）角形枠状の側方枠部に、コマ本体にセットするとコマ本体の幅方向両側面から外側に突出する膨出部を設け、側方枠部は膨出部を外から押すと内側に変形し、その押しが解除されると外側に復元するバネ性があるため、レールの通路内にセットし易く、セット後はバネの復元力で外側に膨れてレール内面に接触するので、レール内で左右に傾いたり、がたついたりせず、レールに垂直にセットされるため、可動コマがレール内をスムースにスライドできる。
【００１２】
本発明のレール用可動コマは次のような効果がある。
（１）レールの通路内にセットするコマ本体と、そのコマ本体にセットされた可動コマ用バネを備え、コマ本体はレール内にスライド可能にセットできる細長であり、可動コマ用バネに前記可動コマ用バネを使用したので、可動コマをレールにセットすると可動コマ用バネの膨出部がレールの内側面に接触し、基材がレール内で左右に傾かず、がたつきも無く、レールに垂直にセットされ、レール内をスムースにスライドできる。また、スライドを停止させると任意位置に停止する。
【００１３】
本発明の物品取付け用スライド材は次のような効果がある。
（１）レールにセットした可動コマと、可動コマに手すり、棚、家具、テーブルや机の天板、壁掛け式電気製品、装飾品といった物品を取付ける取付けフランジを備えているので、この物品取付け用スライド材があれば、レールを壁面の内側又は外側に取付け、そのレール内に可動コマをセットし、可動コマに手すり、棚等の物品をビス、ボルト等の固定具で取付けて物品をレールに固定することができる。固定後は固定具を緩めるだけで可動コマをレールに沿ってスライドさせて、取付けフランジを介して可動コマに固定されている物品の高さ、横位置等を手軽に調整することができる。
【００１４】
本発明の物品取付け構造は、前記した物品取付け用スライド材のレールが壁面の内側又は外側に取付けられ、そのレールの通路内に可動コマがスライド自在に収容され、手すり、棚、家具、テーブルや机の天板、壁掛け式電気製品、装飾品といった物品が取付けフランジにより可動コマに取付けられ、その可動コマをレールに固定することにより物品をレールに固定したので次のような効果がある。
（１）レールへの各種物品の取付けと可動コマの固定とを同時に行うことができ、レールへの物品の固定が容易になる。
（２）可動コマを上下又は左右にスライドさせるだけで、物品の高さや、横位置を手軽にかえることができるため、物品を位置調節するために、壁を取外したりすることなく、大掛かりな工事も不要となる。
【発明を実施するための最良の形態】
【００１５】
（可動コマ用バネの実施形態）
本発明の可動コマ用バネは図１に示すレール１の通路２内にセットされる可動コマ３のコマ本体４にセットするものであり、図２に示すように角形枠状に成形されており、上下枠部６ａの底面２箇所にコマ本体４に被せる嵌合凹部５が設けられ、側方枠部６ｂの中央部に側方に円弧状に膨出する膨出部７が形成され、膨出部７は前記嵌合凹部５をコマ本体４に被せるとコマ本体４の幅方向両側面から外側に突出するように膨出している。前記側方枠部６ｂは膨出部７を外側から内側に押すと内側に湾曲（変形）し、その押しが解除されると外側に復元するバネ性を備えている。この可動コマ用バネは樹脂、金属、ゴムといった任意の材質製とすることができる。
【００１６】
（レール用可動コマの実施形態）
本発明のレール用可動コマは、図１のレール１内にレール１の通路２内にレール１の軸方向にスライド可能にセットするものであり、通路２内にセットする図２のコマ本体４とそのコマ本体４にセットされた可動コマ用バネ８を備えている。コマ本体４は細長であり、長手方向両端部に角型のブロック２０が形成され、その間に平行な２枚の細長板４ａ（図４（ａ）（ｆ））を成形して、使用材料を軽減し、軽量化し、レールの通路底面との接触面積を小さくし、通路２内をスライドし易くし、可動コマ用バネ８をセットし易くしてある。また、細長板４ａの両端（ブロック寄り付け根部分）に嵌合受け凹部４ｂが形成されている。夫々のブロック２０はレール１の通路２内に収容できる幅であり、側面が通路２の内面に面接触できるように平滑にし、底面幅方向中央部に逃げ溝２ａ（図４（ｂ）（ｄ）（ｆ））を設けて、図３のレール取付け用のビス１１の頭が夫々のブロック２０の底面に接触しないようにしてある。コマ本体４は金属製、硬質樹脂製といった各種材料で成形できるが、金属、特に真鍮製がレール内での安定性、スライドし易さ、磨耗しにくさ等の面から好ましい。コマ本体４の幅及び厚さはレール１の通路２の幅及び深さより小さ目にして、通路２内に収容し易くすると共に通路２内をその軸方向にスムースにスライドできるようにしてある。コマ本体４の長さは数ｃｍ程度が適する。可動コマ２のブロック２０の中央にはボルト、ビス等の固定具３４をねじ込み可能な固定孔１９が前面から背面に貫通して開口されている。
【００１７】
前記可動コマ用バネ８は図２のようにその嵌合凹部５をコマ本体４の前記嵌合受け凹部４ｂ（図２）に、図１のように被せて可動コマ用バネ８を両ブロック２０間にセットしてある。セットされた可動コマ用バネ８はその膨出部７がブロック２０の側面よりも僅かに外側に突出しており、図３のように可動コマ３をレール１の通路２内にセットすると、膨出部７が通路２の内壁面により内側に押されて内側に変形し、その状態で通路２の内壁面に圧接するようにしてある。この圧接と、その内壁面への２つのブロック２０の側面の接触により可動コマ３の両側面が通路２の内壁面に３点接触して、可動コマ３が通路２内に真っ直ぐにセットされ、傾いたり、ガタついたりすることがなく、通路２内をスムースにスライドできるようにしてある。
【００１８】
（物品取付け用スライド材の実施形態）
本発明の物品取付け用スライド材は、手すり、棚等の物品１２（図５）を室内、収納棚等の壁面に取付けることができるものであり、図５に示すようにレール１、可動コマ３、取付けフランジ１０、補強板１３、化粧板１４を備えている。
【００１９】
前記レール１は図１のように前面開口の細長材であり、市販のＣチャンネル鋼材を使用することができる。レール１の素材は金属製であることが耐久性等の点から望ましいが、硬質樹脂製等、任意の素材製とすることもできる。レール１の通路２はレール１の長手方向（軸方向）に形成され、長手方向（上下方向）両端部がレール１の軸方向両端に開口されている。レール１の前面１ａの幅方向中央部分には開口溝１ｃがレールの長手方向に開口されている。
【００２０】
図３のようにレール１の背面１ｂは平面になっており、長手方向に所定間隔で止め孔（図示しない）が開口されている。背面１ｂには図５に示すように補助プレート１５がその幅方向両端から側方に突出して取付けられている。補助プレート１５は枚数、形状等を任意に選択可能であり、場合によっては設けなくともよい。補助プレート１５のレール１の側方に突出した両端部と中央部に止め孔１５ａが開口されている。
【００２１】
図５のように取付けフランジ１０は小判型の板材であり、棚等の部品の根元を取付けるものであり、手すり、棚等の部品１２のフランジと兼用である。その幅はレール１の幅と同じ程度であり、上下２箇所に縦長の止め孔１６が貫通されている。取付けフランジ１０は強度の面から金属製であることが望ましいが、強度に優れた任意の材料製とすることもできる。
【００２２】
補強板１３は図５に示すように取付けフランジ１０と同じ形状にして、取付けフランジ１０を重ねるとその下に隠れるようにするのが体裁の面から好ましいが、その形状以外の任意形状、例えば真円形、四角形、多角形等といった形状とすることもできる。補強板１３において、取付けフランジ１０の止め孔１６と同じ位置には縦長の止め孔１７が開口されている。補強板１３の材質は特に限定されないが樹脂製が製造しやすく、軽量で、扱い易いので、好ましい。
【００２３】
図に示す化粧板１４は細長板であり、レールの開口溝１ｃに嵌入可能な嵌入突起１８を備えた端面形状Ｔ字型である。化粧板１４の幅もレール１の幅とほぼ同じであり、図６のようにレール１の開口溝１ｃ（図５）に嵌入突起１８を嵌入してレール１の前面１ａを被覆するものである。この場合、レール１に取付けた可動コマ３を避けてその上下に取付けるため、図５のように長さの異なる２枚の化粧板１４を用意して、短い化粧板１４を可動コマ３の上方に、長い化粧板１４を可動コマ３の下方に取付けることにより、レール１の前面１ａを被覆することができる。化粧板１４は図６のように同じ長さのものを２枚用意し、それを可動コマを避けてその上下に取付けることもできる。化粧板１４の長さは任意に選択できる。
【００２４】
（物品取付け構造の実施形態１）
本発明の物品取付け用スライド材を使用した物品取付け構造の実施形態の一例を図７、図８を用いて詳細に説明する。この実施形態は図５に示す物品取付け用スライド材を室内の壁面９に取付けた場合であり、物品が手すりの場合である。
【００２５】
図７に示すものは壁面９の内側の柱２２に、図８に示すものは壁面９の内側の間柱２３を下地材として用いる場合であり、柱２２を下地材とする場合はそれにレール１を取付け、間柱２３を下地材とする場合は間柱２３の両側に補強材２４を配置し、その間柱２３と補強材２４とにレール１を取付けてある。補強材２４は図７に示すように間柱２３よりも細く短い角材であり、図８（ｂ）のようにその前面２４ａを間柱２３の前面（レール取付け面）と面一に揃えて間柱２３の両側に取付けてある。間柱２３への補強材２４の取付けは釘、ビス、接着剤等任意の方法で行うことができる。補強材２４の長さ及び太さはレール１を取付け可能であれば任意に選定することができる。従って、補強材２４はレール１を取付ける箇所の間柱２３の両側に配置固定することも、間柱２３の片側にのみ配置固定することもできる。
【００２６】
図８（ｂ）に示すものは、レール１の背面を間柱２３の前面に宛がってレール１をビス３４で間柱２３に固定し、取付けプレート１５の止め孔１５ａから補強材２４にビス３４をねじ込んでレール１を間柱２３と補強材２４に固定してある。
【００２７】
前記のように柱２２や間柱２３に固定されたレール１の通路２内には図３、図５に示すように可動コマ３が上下にスライド可能に収容されている。その可動コマ３をスライドさせて所望位置に位置決めし、レール１の前面１ａの外側から補強板１３を可動コマ３に宛がい、その補強板１３の外側に取付けフランジ１０を宛がって、取付けフランジ１０の止め孔１６と補強板１３の止め孔１７とにビス、ボルト等の固定具３４を貫通させ、更にレール１の開口溝１ｃを通して可動コマ３の固定孔１９（図３）にネジ込んで締め付けることにより、可動コマ３をレール１の前面１ｂ側に引き寄せて、図９のように可動コマ３と補強板１３及び取付けフランジ１０とでレール１の前面１ａを挟着して手すりをレール１に固定してある。補強板１３、取付けフランジ１０の固定具３４の外側にはカバー４０を被せてそれらを被覆することができる。
【００２８】
手すりを固定したレール１の前面１ａのうち、手すり部分を除いた箇所に図６に示すように化粧板１４を被せてレール１の前面１ａを被覆する。化粧板１４はその嵌入突起１８をレール１の開口溝１ｃに圧入してレール１に固定してある。壁材２５の前面と化粧板１４の上に樹脂製、紙製等のクロス材を貼って壁面仕上げとすることもできる。
【００２９】
前記のようにして壁面９に固定した手すり位置の変えるには、固定具３４の締め付けを緩めて、可動コマ３をレール１の通路２内をスライドさせて所望位置に停止させ、その位置で固定具３４を締め付け直して固定する。
【００３０】
本発明でスライド可能とする物品は、手すり以外にも、例えば、収納棚、ハンガー掛け、ピクチャーレール、家具等の転倒防止金具、壁掛け式装飾品、壁掛け式家電機器、間仕切り等といった任意の物とすることができる。
【００３１】
図示した実施例ではレール１を縦向きに取付けてあるが、レール１は横向き、斜め向きといった所望の向きにすることができる。その場合、物品はレールの向きに沿ってスライド可能となる。
【００３２】
（物品取付け構造の実施形態２）
本発明の物品取付け構造として図１０（ａ）（ｂ）に示したものは、レール１の止め孔と、補助プレート１５の止め孔１５ａとにビス、ボルト等の固定具３４をねじ込んでレール１を柱２２又は間柱２３に固定し、そのレール１の両側に補助壁材３０を配置固定して、補助プレート１５の両側突出部を被覆し、その補助壁材３０の側方に石膏ボード等の壁材２５を配置固定したものである。前記補助壁材３０は壁材２５と同じ厚さであって、補助プレート１５の両側突出部よりも広い幅にして両側突出部を被覆できるようにしてある。また、補助壁材３０の背面に補助プレート１５の両側突出部の上に被せる逃げ部３１を形成してある。補助壁材３０を取付けることにより壁材２５の側面を補助壁材３０の側面に接触させて壁材２５を取付けることができる。
【産業上の利用可能性】
【００３３】
本発明の物品取付け用スライド材及びそれを利用した物品取付け構造は、住宅等の建物の壁面に物品を取付ける場合に限らず、建物の床や天井等に物品を取付けたり、屋外の塀等に物品を取付けたりする場合にも利用することができる。
【図面の簡単な説明】
【００３４】
【図１】本発明の可動コマとレールとの分解斜視図。
【図２】本発明の可動コマのコマ本体と可動コマバネの分解斜視図。
【図３】本発明の可動コマをレールの通路にセットした状態の斜視図。
【図４】（ａ）は本発明の可動コマの平面図、（ｂ）は（ａ）の側面図、（ｃ）は（ａ）の正面図、（ｄ）は（ａ）のＡ−Ａ断面図、（ｅ）は（ａ）のＢ−Ｂ断面図、（ｆ）は（ａ）のＣ−Ｃ断面図である。
【図５】本発明の物品取付け用スライド材の分解斜視図。
【図６】本発明の物品取付け構造において、化粧板を取付けた様子を示す斜視図。
【図７】本発明の物品取付け構造において、レールを下地材に取付けた様子を示す正面説明図。
【図８】（ａ）は本発明の物品取付け構造においてレールを下地材に取付けた様子を示す平面説明図、（ｂ）は（ａ）中のＡ部分の拡大図。
【図９】本発明の物品取付け構造において、物品を取付けた様子を示す断面斜視図。
【図１０】（ａ）は本発明の物品取付け構造の実施形態の他例を示す斜視説明図。（ｂ）は補助壁材を取付けた様子を示す平面説明図。
【図１１】（ａ）、（ｂ）は従来の手すりの取付け構造を示す側面断面図。
【符号の説明】
【００３５】
１    レール
１ａ  レールの前面
１ｂ  レールの背面
１ｃ  レールの開口溝
２    通路
２ａ  逃げ溝
３    可動コマ
４    コマ本体
４ａ  コマ本体の細長板
４ｂ  嵌合受け凹部
５    嵌合凹部
６ａ  上下枠部
６ｂ  側方枠部
７    膨出部
８    可動コマ用バネ
９    建物の壁面
１０    取付けフランジ
１１    レール取付け用ビス
１２    物品
１３    補強板
１４    化粧板
１５    補助プレート
１８    嵌入突起
１９    固定孔
２０    コマ本体のブロック
２２    柱
２３    間柱
２４    補強板
２５    壁材
３０    補助壁材
【図１】
2006300259.tif 000003
【図２】
2006300259.tif 000004
【図３】
2006300259.tif 000005
【図４】
2006300259.tif 000006
【図５】
2006300259.tif 000007
【図６】
2006300259.tif 000008
【図７】
2006300259.tif 000009
【図８】
2006300259.tif 000010
【図９】
2006300259.tif 000011
【図１０】
2006300259.tif 000012
【図１１】
2006300259.tif 000013